(57)【要約】【課題】書籍等を電子データ化して記録する場合において一連のページ画像を編集する際の作業性を向上させる。【解決手段】互いに前後関係を有する複数の撮影画像１０１，２０１をその前後関係を維持して表示画面に表示する。その際、複数の撮影画像１０１，２０１に、連続する複数回の撮影作業により取得された複数の第１の撮影画像と、複数回の撮影作業とは異なる個別の撮影作業により取得された第２の撮影画像とが含まれる場合、例えば第２の撮影画像の背景領域Ｇｃを他の領域Ｇｂとは異なる表示形態で表現することにより、第２の撮影画像を複数の第１の撮影画像と識別可能にする。【選択図】図６
2018024260.tif 000002
【特許請求の範囲】
【請求項１】
見開かれた書籍のページをめくる装置のめくる動作に連動して次にめくられるページを撮影し、互いに前後関係を有する複数の撮影画像を取得する画像取得手段と、
前記画像取得手段によって取得した左ページの前記複数の撮影画像と、前記画像取得手段によって取得した右ページの前記複数の撮影画像とを各々の左ページの撮影画像と右ページの撮影画像とを一組とし、それらを左右に並べて表示するとともに、各組をページ順に従い縦方向に並べて表示することで、前記複数の撮影画像をその前後関係を維持して表示画面に表示する表示制御手段と、
を備え、
前記表示制御手段は、前記表示画面に表示する複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する、
ことを特徴とする表示制御装置。
【請求項２】
前記複数の撮影画像の各々は、連続するページが個別に撮影されたページ画像であることを特徴とする請求項１記載の表示制御装置。
【請求項３】
前記第２の撮影画像は、前記連続する複数回の撮影作業により取得された複数の撮影画像のいずれかと置き換えられたものであることを特徴とする請求項１又は２記載の表示制御装置。
【請求項４】
前記第２の撮影画像は、前記連続する複数回の撮影作業により取得された複数の撮影画像において欠落している撮影画像を補うものであることを特徴とする請求項１又は２記載の表示制御装置。
【請求項５】
前記表示制御手段は、前記表示画面における前記第２の撮影画像に対応する特定領域を他の領域とは異なる表示形態で表現することによって、前記第２の撮影画像を前記複数の第１の撮影画像と識別可能に表示することを特徴とする請求項１乃至４のいずれか１項に記載の表示制御装置。
【請求項６】
前記特定領域は、前記第２の撮影画像の背景領域であることを特徴とする請求項５記載の表示制御装置。
【請求項７】
前記表示制御手段は、前記特定領域を他の領域とは異なる色で表現することによって、前記第２の撮影画像を前記複数の第１の撮影画像と識別可能に表示することを特徴とする請求項５又は６記載の表示制御装置。
【請求項８】
互いに前後関係を有する複数の撮影画像をその前後関係を維持して表示画面に表示する表示制御装置が実行する表示制御方法であって、
見開かれた書籍のページをめくる装置のめくる動作に連動して次にめくられるページを撮影し、互いに前後関係を有する複数の撮影画像を取得するステップと、
前記取得した左ページの前記複数の撮影画像と、前記取得した右ページの前記複数の撮影画像とを各々の左ページの撮影画像と右ページの撮影画像とを一組とし、それらを左右に並べて表示するとともに、各組をページ順に従い縦方向に並べて表示することで、前記複数の撮影画像をその前後関係を維持して前記表示画面に表示するステップと、
前記表示画面に表示する複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示するステップと、
を含むことを特徴とする表示制御方法。
【請求項９】
表示制御装置が有するコンピュータに、
見開かれた書籍のページをめくる装置のめくる動作に連動して次にめくられるページを撮影し、互いに前後関係を有する複数の撮影画像を取得する手順、
前記取得した左ページの前記複数の撮影画像と、前記取得した右ページの前記複数の撮影画像とを各々の左ページの撮影画像と右ページの撮影画像とを一組とし、それらを左右に並べて表示するとともに、各組をページ順に従い縦方向に並べて表示することで、複数の撮影画像をその前後関係を維持して表示画面に表示する手順、
前記表示画面に表示する複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する手順、
を実行させるためのプログラム。
【発明の詳細な説明】
【技術分野】
【０００１】
本発明は、複数の撮影画像を表示画面に表示する技術に関する。
【背景技術】
【０００２】
従来、書籍等（例えば本や雑誌）の重なっているページを自動ページめくり装置を用いて１枚ずつ分離してめくるとともに、各ページを撮影して電子データ化し、複数ページ分の電子データを書籍ファイルとして記録する書画カメラシステムが知られている（例えば特許文献１，２参照）。係る書画カメラシステムを用いれば、一般に販売されている所謂電子書籍と同様の書籍ファイルを誰もが簡単に作成することができる。
【先行技術文献】
【特許文献】
【０００３】
【特許文献１】特開２０１４−１１７８９３号公報
【特許文献２】特開２０１５−６７５４号公報
【発明の概要】
【発明が解決しようとする課題】
【０００４】
しかしながら、書籍ファイルを作成する際には、各ページを撮影した撮影画像、すなわち一連のページ画像をそのまま使用したのでは書籍としての品質を確保することが難しい。したがって、一連のページ画像に対して各種の編集作業を行う必要があるが、書籍等のページ数が多い場合には、その編集作業が煩雑にならざるを得ないという問題があった。
【０００５】
本発明は、上記の課題に鑑みてなされたものであり、書籍等を電子データ化して記録する場合において一連のページ画像を編集する際の作業性を向上させることを目的とする。
【課題を解決するための手段】
【０００６】
上記の目的を達成するため、本発明に係る表示制御装置は、見開かれた書籍のページをめくる装置のめくる動作に連動して次にめくられるページを撮影し、互いに前後関係を有する複数の撮影画像を取得する画像取得手段と、前記画像取得手段によって取得した左ページの前記複数の撮影画像と、前記画像取得手段によって取得した右ページの前記複数の撮影画像とを各々の左ページの撮影画像と右ページの撮影画像とを一組とし、それらを左右に並べて表示するとともに、各組をページ順に従い縦方向に並べて表示することで、前記複数の撮影画像をその前後関係を維持して表示画面に表示する表示制御手段と、を備え、前記表示制御手段は、前記表示画面に表示する複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する、ことを特徴とする。
【発明の効果】
【０００７】
本発明によれば、書籍等を電子データ化して記録する場合において一連のページ画像を編集する際の作業性を向上させることができる。
【図面の簡単な説明】
【０００８】
【図１】本発明の一実施の形態に係る書画カメラシステムの概略構成を示す斜視図である。
【図２】書画カメラシステムの電気的構成の要部を示すブロック図である。
【図３】タブレットの編集モードでの動作を説明するためのフローチャートである。
【図４】ページ番号編集画面の一例を示す図である。
【図５】ページ番号編集画面の他の例を示す図である。
【図６】更新後のページ番号編集画面の一例を示す図である。
【図７】タブレットの画像編集モードでの動作を説明するためのフローチャートである。
【図８】画像編集画面の一例を示す図である。
【発明を実施するための形態】
【０００９】
以下、本発明の実施形態を、図面を参照して説明する。
【００１０】
図１は、本発明の一実施の形態に係る書画カメラシステム１の概略構成を示す斜視図である。この書画カメラシステム１は、本発明のファイル管理装置としての機能を備えたタブレット２と自動ページめくり装置３とから構成される。
【００１１】
自動ページめくり装置３は、開かれた書籍等Ｂを保持する保持台６と、保持台６上の書籍等ＢのページＰのめくり元位置でページＰを保持し、ページＰのめくり先位置でページＰに対する保持を解除するめくり機構３０と、めくり元位置にあるページＰの上方に風を通過させることでめくり先位置にあるページＰに対して風を当てる送風部５とを備えている。
【００１２】
タブレット２は、カメラ（後述する撮像部）を備えた携帯可能な情報処理端末であって、スタンド２０を用いて書籍等（例えば本や雑誌）Ｂの上方に設置されることにより、書籍等ＢのページＰのめくり元を撮影する。なお、タブレット２と自動ページめくり装置３とは、それぞれに内蔵されたＢｌｕｅｔｏｏｔｈ（登録商標）やＷｉ−Ｆｉ（登録商標）等の近距離無線通信アダプタを介して通信可能である。
【００１３】
そして、書画カメラシステム１においては、書籍等（例えば本や雑誌）ＢのページＰを自動ページめくり装置３を用いて１枚ずつ分離してめくるとともに、タブレット２によって各ページを撮影して電子データ化し、複数ページ分の電子データを決められたフォーマットのファイル（以下、書籍ファイルという）として記録することができる。
【００１４】
図２は、タブレット２と自動ページめくり装置３との電気的構成の要部を示すブロック図である。まず、自動ページめくり装置３の電気的構成について説明する。
【００１５】
自動ページめくり装置３は、主として制御部３１と、記憶部３２と、操作部３３と、モータ駆動回路部３４と、通信部３５と、電源部３６とから構成される。記憶部３２には、各種プログラムが記録されたＲＯＭ（Read Only Memory）と、当該プログラムが展開されるＲＡＭ（Random Access memory）とが含まれる。
【００１６】
操作部３３には、ページめくり処理を開始させる開始スイッチと、ページめくり処理を停止させる停止スイッチ等が含まれる。モータ駆動回路部３４には、めくり機構３０を駆動するモータや、送風部５に設けられたファンを駆動するモータ、及びそれらのモータを駆動するモータドライバ等が含まれる。
【００１７】
制御部３１は、開始スイッチが操作されてから停止スイッチが操作されるまでモータ駆動回路部３４を制御することによりめくり機構３０を駆動し、書籍等ＢのページＰを１枚ずつ分離してめくる。通信部３５は、タブレット２との通信インタフェースを司り、Ｂｌｕｅｔｏｏｔｈ（登録商標）やＷｉ−Ｆｉ（登録商標）等の通信方式によってタブレット２との接続を行う。電源部３６は、上記した各ブロック３１〜３５に電力を供給する。
【００１８】
次に、タブレット２の電気的構成について説明する。タブレット２は、主として撮像部２１と、操作部２２と、表示部２３と、通信部２４と、制御部２５と、記憶部２６とから構成される。
【００１９】
撮像部２１は、書籍等Ｂ等のページ画像を撮影可能なカメラであり、レンズを含む光学系の他に、ＣＣＤ（Charge  Coupled  Device）やＣＭＯＳ（Complementary  Metal  Oxide  Semiconductor）等で構成された撮像素子等を有する。レンズを介して入射した光像は、この撮像素子でアナログ画像信号に光電変換され、色分離や色成分の毎のゲイン調整が行われた後に、ディジタルデータに変換される。
【００２０】
表示部２３は、ＬＣＤ（Liquid  Crystal  Display）や有機ＥＬ（Electro  Luminescence）等の表示モニタを有し、表示モニタの画面上に撮像部２１により撮像されたページ画像や各種情報等を表示する。
【００２１】
操作部２２は、図示しない電源キー等の最小限の操作スイッチと、表示部２３が有する表示モニタの表面に一体的に設けられたタッチパネルを含み、ユーザーによるタブレット２の操作情報を制御部２５へ供給する。
【００２２】
通信部２４は、自動ページめくり装置３との通信インタフェースを司り、Ｂｌｕｅｔｏｏｔｈ（登録商標）やＷｉ−Ｆｉ（登録商標）等の通信方式によって自動ページめくり装置３との接続を行う。
【００２３】
制御部２５は、ＣＰＵ（Central Processing Unit）、及びその周辺回路等や、ＲＡＭ（Random Access memory）等を含み、タブレット２の各部を制御する。
【００２４】
記憶部２６には、例えば、半導体メモリが実装され、各種のアプリケーションプログラム、制御部２５がプログラム実行の過程で生成する各種データ等が保存されている。上記アプリケーションプログラムには、自動ページめくり装置３を用いて書籍等の各ページを撮影し、撮影により取得したページ画像を書籍ファイルとして記憶部２６に保存したり、保存した書籍ファイルの閲覧や編集を行うための書籍管理プログラムが含まれる。
【００２５】
また、記憶部２６には、書籍ファイルの生成過程において、書籍等の各ページを撮影した撮影画像である複数ページ分のページ画像、及び書籍の表紙と、見返し（裏表紙側）、裏表紙、見返し（表紙側）をそれぞれ撮影した撮影画像が記憶される。
【００２６】
また、記憶部２６には、書籍ファイル、ページ画像、及び表紙などの撮影画像を、書籍等の電子データ化する対象別に管理するための管理テーブル２６０を記憶する領域が確保されている。管理テーブル２６０には、書籍ファイルとして保存される以前における複数ページ分のページ画像の各々と書籍等の各ページとの対応関係、及び複数ページ分のページ画像や表紙等の撮影画像に対する処理段階を示す管理情報が、書籍等のファイル化対象別に記述されている。
【００２７】
そして、以上の書画カメラシステム１を用いて書籍等を電子データ化して書籍ファイルとして保存する際には、タブレット２を図１に示したように自動ページめくり装置３の上方に設置した状態で、タブレット２により無線接続された自動ページめくり装置３のページめくり動作を制御しながら、書籍等の各ページを繰り返し撮影してページ画像を取得する。その際には、書籍等の左ページを一連の撮影動作によって取得し、さらに右ページを一連の撮影動作によって取得する。また、書籍の表紙等を撮影し、その撮影画像を取得する。しかる後、タブレット２において、取得したページ画像等に対して各種の編集作業を行った後、それらを単一のファイルに結合させることにより、書籍ファイルを生成する。
【００２８】
次に、図３乃至図６を参照して書籍ファイルの生成過程におけるタブレット２の動作について説明する。まず、書籍管理プログラムに基づくページ編集モードでの動作について説明する。
【００２９】
ページ編集モードは、書籍等の各ページの撮影作業、つまり連続する複数回の撮影作業によって個別に撮影され、記憶部２６に保存されている複数ページ分のページ画像（以下、一連のページ画像という。）に対し、ページ画像の置き換えや挿入といったページ編集を行うためのモードである。
【００３０】
なお、ページ編集モードは、ユーザーの操作によって設定可能な動作モードであるとともに、書籍等の各ページ、書籍の表紙等の撮影に使用される撮影モードでの動作終了後に自動的に移行する動作モードでもある。また、ページ編集モードにおいて編集対象となる一連のページ画像は、管理テーブル２６０によって書籍等の各ページとの対応関係が管理（紐付け）されている左ページのみを撮影した一連の左ページ画像、及び右ページのみを撮影した一連の右ページ画像である。
【００３１】
図３は、タブレット２が書籍管理プログラムに基づきページ編集モードで動作するとき、制御部２５が実行する処理内容を説明するためのフローチャートである。図３に示したように制御部２５は、ページ編集モードにおいて、まず、表示部２３の表示画面に図４又は図５に示したページ番号編集画面Ｇ１を表示する（ステップＳＡ１）。このページ番号編集画面Ｇ１は、上縁に沿って固定して確保される機能表示領域Ｇａと、それを除く一般領域Ｇｂとから構成される。
【００３２】
機能表示領域Ｇａには、現在の動作状態を示すキャプションｃ１（図で「ページ番号」）と、編集を指示するための編集ボタンｂ１、保存を指示するための保存ボタンｂ２を含む各種の表示要素が表示される。なお、ここではＧＵＩ（Graphical User Interface）を実現するため表示部２３の表示画面に表示されるとともに、ユーザーによりタッチ操作される文字や絵柄等からなる各種の表示要素を「ボタン」と呼ぶ。
【００３３】
そして、ページ番号編集画面Ｇ１の表示に際して制御部２５は、一般領域Ｇｂに、記憶部２６に保存されている一連の左ページ画像の各々１０１と一連の右ページ画像の各々２０１とを縮小してページ順に並べて表示する。具体的には、各々の左ページ画像１０１と右ページ画像２０１を一組とし、それらを左右に隙間なく並べて配置することによって見開き状態の書籍を表現するとともに、各組を間隔を空けてページ順に従い縦方向に並べて表示する。なお、以下の説明においては、左ページ画像１０１と右ページ画像２０１とを必要に応じページ画像と呼ぶものとする。
【００３４】
また、ページ番号編集画面Ｇ１の表示に際して制御部２５は、各々の左ページ画像１０１の左側、及び各々の右ページ画像２０１の右側にページ番号オブジェクト３０１を表示する。ページ番号オブジェクト３０１は、ページ画像（左ページ画像１０１及び右ページ画像２０１）に対応するページ番号３０２と、左ページ画像１０１、及び右ページ画像２０１のそれぞれの総数３０３とを上下に並べて表示するものである。さらに、ページ番号編集画面Ｇ１の表示に際して制御部２５は、一般領域Ｇｂの右辺に沿ってルーラー４０１も表示する。このルーラー４０１は、現在表示中のページ画像が、書籍等の全ページのどの辺の範囲のページに対応するものかを示すものである。
【００３５】
ここで、図４及び図５に示したページ番号編集画面Ｇ１の違いについて説明する。図４は、一連の左ページ画像の中に小口側が浮き上がった状態の左ページを撮影した左ページ画像１０１（図４で５ページ目の左ページ画像）が存在する場合の一例を示したものある。また、図５は、左ページの撮影中に撮影漏れがあった場合、具体的には、先行するページＰと後続するページＰとが自動ページめくり装置３による１回のめくり動作によって一緒にめくられたことによって、一連の左ページ画像の中に、本来存在する左ページ画像が欠落していた場合の一例を示したものある。なお、図５は、一連の左ページ画像の総数が「１７」であって、一連の右ページ画像の総数「１８」よりも１枚少ない場合の例である。
【００３６】
ここで、図３では省略するが、ページ番号編集画面Ｇ１を表示している間、制御部２５は、ユーザーによる表示画面に対するスクロール操作に応じて画面（但し、一般領域Ｇｂのみ）をスクロールさせることによって、任意の左ページ画像１０１及び右ページ画像２０１の確認を可能とする。その際に、制御部２５は新たに表示させる左ページ画像１０１及び右ページ画像２０１に応じてページ番号オブジェクト３０１のページ番号３０２とルーラー４０１とを更新する。
【００３７】
なお、本実施形態とは異なり、ユーザーによる表示画面の切替操作に応じて表示画面を切り替えることにより、書籍の全ページ分の左ページ画像１０１及び右ページ画像２０１の確認を可能としてもよい。
【００３８】
一方、ステップＳＡ１でページ番号編集画面Ｇ１を表示した後、制御部２５は、ユーザーからページ画像の置き換え指示があれば（ステップＳＡ２：ＹＥＳ）、ページ置き換え処理を行う（ステップＳＡ３）。なお、ユーザーによるページ画像の置き換え指示は、ページ番号編集画面Ｇ１において所望のページ画像をタッチ操作することにより行われる。
【００３９】
ページ置き換え処理は、タッチ操作によってユーザーにより指定されたページ画像を、個別に撮影した他のページ画像に置き換える処理であり、実際には、編集中の一連のページ画像におけるユーザーにより指定されたページ画像に代えて、他のページ画像との対応関係を一時記憶する処理である。例えば、図４に示したページ番号編集画面Ｇ１において、５ページ目の左ページ画像１０１がユーザーにタッチ操作されたとき、制御部２５は、５ページ目の左ページ画像１０１を他の左ページ画像に置き換える。
【００４０】
また、ここでは図示しないが、具体的な処理内容は以下の通りである。すなわちページ置き換え処理では、ページ番号編集画面Ｇ１とは別に所定の選択画面を表示し、置き換え用のページ画像（新たに使用するページ画像）を、「他のページ画像」又は「再撮影して取得するページ画像」とのいずれにするかをユーザーに選択させる。
【００４１】
そして、「他のページ画像」が選択された場合には、上記選択画面に代えて所定の指定画面を表示し、ユーザーに、現在編集中の一連のページ画像とは別に個別に撮影されて記憶部２６に既に保存されている他のページ画像であって、ページ番号編集画面Ｇ１において指定されたページ画像と同じページを撮影したページ画像を選択させる。しかる後、ユーザーが選択した置き換え用のページ画像を、ページ番号編集画面Ｇ１において指定されたページ画像と置き換える。
【００４２】
また、「再撮影して取得するページ画像」が選択された場合には、その時点でユーザーに、ページ番号編集画面Ｇ１において指定されたページ画像と同じページのみを再撮影するための撮影作業を行わせることにより、同じページの新なページ画像を取得して記憶部２６に保存する。しかる後、新なページ画像を、ページ番号編集画面Ｇ１において指定されたページ画像と置き換える。
【００４３】
制御部２５は、ページ置き換え処理を行った後、置き換え後のページ画像が識別可能なページ番号編集画面Ｇ１を表示部２３の表示画面に表示する（ステップＳＡ４）。例えば図４に示したページ番号編集画面Ｇ１を表示しているとき、ユーザーの操作に応じて５ページ目の左ページ画像１０１を対象としてページ置き換え処理を行った後には、図６に示したようなページ番号編集画面Ｇ１を新たに表示する。
【００４４】
具体的には、５ページ目の置き換え後の左ページ画像１０１の背景領域Ｇｃを他の一般領域Ｇｂとは異なる色で表現することによって、背景領域Ｇｃを他の一般領域Ｇｂとは異なる表示形態で表現し、置き換え後の左ページ画像１０１を識別可能とする。
【００４５】
また、以上の処理とは別に、ステップＳＡ１でページ番号編集画面Ｇ１を表示した後、制御部２５は、ユーザーからページ画像の挿入指示があれば（ステップＳＡ２：ＮＯ、ステップＳＡ５：ＹＥＳ）、ページ挿入処理を行う（ステップＳＡ６）。なお、図示しないがユーザーによるページ挿入指示は、ページ番号編集画面Ｇ１において編集ボタンｂ１をタッチ操作した後、画面上でページ画像を挿入すべきページ位置を指示（タッチ操作）することにより行われる。
【００４６】
ページ挿入処理は、現在編集中の一連のページ画像に、タッチ操作によってユーザーにより指定されたページ（以下、単に指定されたページという。）に撮影したページ画像を挿入する処理であって、実際には、撮影したページ画像を現在編集中の一連のページ画像に新たに加えるとともに、指定されたページとの対応関係を一時記憶する処理である。
【００４７】
例えば、図５に示したページ番号編集画面Ｇ１において、本来６ページ目である左ページ画像１０１が５ページ目の左ページ画像１０１として表示されている場合、つまり一連の左ページ画像の中で５ページ目の左ページ画像が欠落している場合に、ユーザーの指示に応じて５ページ目の左ページ画像を挿入する。
【００４８】
また、ここでは図示しないが、具体的な処理内容は以下の通りである。すなわちページ挿入処理においては、ページ番号編集画面Ｇ１とは別に所定の選択画面を表示し、挿入用のページ画像（新たに使用するページ画像）を、「他のページ画像」又は「再撮影して取得するページ画像」とのいずれにするかをユーザーに選択させる。
【００４９】
そして、「他のページ画像」が選択された場合には、上記選択画面に代えて所定の指定画面を表示し、ユーザーに、現在編集中の一連のページ画像（左ページ画像及び右ページ画像）とは別に個別に撮影され記憶部２６に既に保存されている他のページ画像であって、欠落しているページを撮影したページ画像を選択させる。しかる後、ユーザーが選択した挿入用のページ画像を、ページ番号編集画面Ｇ１において指定されたページ位置に挿入する。
【００５０】
また、「再撮影して取得するページ画像」が選択された場合には、その時点でユーザーに、指定したページのみを再撮影するための撮影作業を行わせることにより、新なページ画像を取得して記憶部２６に保存する。しかる後、新なページ画像をユーザーに指定されたページ位置に挿入する。
【００５１】
制御部２５は、ページ挿入処理を行った後、挿入後のページ画像が識別可能なページ番号編集画面Ｇ１を表示部２３の表示画面に表示する（ステップＳＡ７）。例えば図５に示したページ番号編集画面Ｇ１を表示しているとき、ユーザーの操作に応じて５ページ目の左ページ画像１０１を挿入するページ挿入処理を行った後には、図６に示したページ番号編集画面Ｇ１を新たに表示する。すなわち挿入後の左ページ画像１０１の背景領域Ｇｃを、先に述べたように、他の一般領域Ｇｂとは異なる色で表現し、挿入後の左ページ画像１０１を識別可能とする。
【００５２】
また、制御部２５は、ステップＳＡ４及びやステップＳＡ７の処理において新たなページ番号編集画面Ｇ１を表示した後には、保存ボタンｂ２のタッチ操作によってユーザーから保存指示があるまで（ステップＳＡ８：ＮＯ）、ステップＳＡ２の処理に戻り、以降の処理を繰り返し実行する。
【００５３】
その後、ユーザーから保存指示があると（ステップＳＡ８：ＹＥＳ）、制御部２５は、一連のページ画像に関する情報、つまりステップＳＡ４及びステップＳＡ７の処理において一時記憶していた編集情報を記憶部２６に保存する（ステップＳＡ９）。つまり管理テーブル２６０に記述されている管理情報を更新するとともに、置き換えられたページ画像や挿入されたページ画像がそれぞれ対応するページを示す情報を管理情報として新たに記述する。これによりページ編集モードによる処理を終了する。
【００５４】
以上のように、ページ編集モードにおいては、ページ置き換え処理やページ挿入処理を行った後にページ番号編集画面Ｇ１を表示する際には、置き換え後の左ページ画像１０１及び挿入後の左ページ画像１０１、すなわち他のページ画像とは異なる個別の撮影作業により取得されたページ画像を識別可能とした。
【００５５】
したがって、ユーザーが一連のページ画像（左ページ画像及び右ページ画像）に対して置き換えや挿入といったページ編集作業を行う間には、個々のページ画像を見直さなくとも、既に作業が終わったページ画像を直ちに見分けることができる。よって、一連のページ画像を編集する際の作業性を向上させることができる。特に一連のページ画像の数、すなわち電子データ化する書籍等のページ数が多い場合には係る効果が大である。
【００５６】
次に、図７及び図８を参照してタブレット２における書籍管理プログラムに基づく画像編集モードでの動作について説明する。画像編集モードは、記憶部２６に保存されている一連のページ画像に対してトリミングや色補正といった画像編集を個別にまたは一括して行うために用意されている動作モードである。図７は、画像編集モードにおいて制御部２５が実行する処理内容を説明するためのフローチャートである。
【００５７】
図７に示したように制御部２５は、画像編集モードの設定とともに処理を開始し、まず、表示部２３の表示画面に、ページ編集が行われたページ画像が識別可能な図８に示したような画像編集画面Ｇ２を表示する（ステップＳＢ１）。
【００５８】
画像編集画面Ｇ２は、前述したページ番号編集画面Ｇ１とほぼ同様であり、ページ番号編集画面Ｇ１との主な違いは、以下の通りである。すなわち機能表示領域Ｇａに、キャプションｃ１に代えて、画像編集の選択に使用され、かつ選択状態を反転表示で表すトリミングボタンｂ３及び色補正ボタンｂ４が配置され、編集ボタンｂ１が廃止された点である。
【００５９】
そして、画像編集画面Ｇ２の表示に際して制御部２５は、ページ番号編集画面Ｇ１と同様、一般領域Ｇｂに、記憶部２６に保存されている一連の左ページ画像の各々１０１と一連の右ページ画像の各々２０１とを縮小して各々が対応するページ順に並べて表示する。
【００６０】
その際、制御部２５は、管理テーブル２６０に記述されている管理情報に基づいて、各々のページ画像が前述した編集モードで置き換え、又は挿入といったページ編集が行われたものであるか否かを確認する。そして、制御部２５は、ページ編集が行われたページ画像（以下、特定のページ画像という。）が存在する場合には、図８に示したように、特定のページ画像の背景領域Ｇｃを他の一般領域Ｇｂとは異なる色で表現することによって、背景領域Ｇｃを他の一般領域Ｇｂとは異なる表示形態で表現し、特定のページ画像を識別可能とする。なお、図８は、５ページ目の左ページ画像１０１が特定のページ画像である場合の例を示した図である。
【００６１】
なお、画像編集画面Ｇ２を表示している間も、制御部２５は、ユーザーによる表示画面に対するスクロール操作に応じて画面（但し、一般領域Ｇｂ）をスクロールさせることによって、任意のページを撮影した左ページ画像１０１及び右ページ画像２０１の確認を可能とする。
【００６２】
そして、画像編集画面Ｇ２を表示した後、制御部２５は、トリミングボタンｂ３のタッチ操作によりユーザーからトリミング指示があれば（ステップＳＢ２：ＹＥＳ）、トリミング処理を行う（ステップＳＢ３）。
【００６３】
トリミング処理において制御部２５は、トリミングボタンｂ３を反転表示に切り替えた後、ユーザーが任意のページ画像を指定すると、指定されたページ画像を拡大表示するとともに、ユーザーの指示に応じてページ画像をトリミングする。なお、トリミング処理では、ユーザーが複数のページ画像を選択された状態で一括処理を指示することにより、複数のページ画像に対して同一内容のトリミングを一括で行うことができる。
【００６４】
また、制御部２５は、色補正ボタンｂ４のタッチ操作によりユーザーから色補正指示があれば（ステップＳＢ４：ＹＥＳ）、色補正処理を行う（ステップＳＢ５）。
【００６５】
色補正処理において制御部２５は、色補正ボタンｂ４を反転表示に切り替えた後（図８に示した状態）、ユーザーが任意のページ画像を指定すると、指定されたページ画像を拡大表示するとともに、ユーザーの指示に応じてページ画像の明るさ、コントラストの調整を含む色補正を行う。なお、色補正処理においても、ユーザーが複数のページ画像を選択された状態で一括処理を指示することにより、複数のページ画像に対して同一内容の色補正を一括で行うことができる。
【００６６】
以後、制御部２５は、ユーザーから保存ボタンｂ２のタッチ操作によってユーザーから保存指示があるまで（ステップＳＢ６：ＮＯ）、ステップＳＢ１の処理に戻り、それ以降の処理を繰り返し実行する。
【００６７】
その後、ユーザーから保存指示があると（ステップＳＢ６：ＹＥＳ）、制御部２５は、編集結果を保存する（ステップＳＢ７）。つまりトリミング後のページ画像や色補正後のページ画像を保存する。これにより画像編集モードによる処理を終了する。
【００６８】
以上のように、画像編集モードにおいて画像編集画面Ｇ２に一連のページ画像（左ページ画像及び右ページ画像）を表示するとき、前述した編集モードでページ編集（置き換え、又は挿入）が行われた特定のページ画像が存在する場合には、特定のページ画像を識別可能とした。すなわち他のページ画像とは異なる個別の撮影作業により取得されたページ画像、つまり異なる撮影条件での撮影されたページ画像を識別可能とした。
【００６９】
したがって、ユーザーが一連のページ画像（左ページ画像及び右ページ画像）に対してトリミングや色補正といった画像編集作業を行う際には、個々のページ画像の詳細を確認せずとも、画像編集を一括で行ってもよいページ画像と個別に行う必要があるページ画像とを直ちに見分けることができる。よって、一連のページ画像を編集する際の作業性を向上させることができる。特に一連のページ画像の数、すなわち電子データ化する書籍等のページ数が多い場合には係る効果が大である。
【００７０】
なお、本実施形態においては、ページ編集モードにおいてページ編集（置き換えや挿入）を行った後にページ番号編集画面Ｇ１（図６参照）を表示する際、及び画像編集モードにおいて画像編集画面Ｇ２（図８参照）を表示する際には、ページ編集が行われた特定のページ画像の背景領域Ｇｃを他の一般領域Ｇｂとは異なる色で表現することによって、つまり他の一般領域Ｇｂとは異なる表示形態で表現することにより識別可能とした。
【００７１】
しかし、特定のページ画像を識別可能とする際の具体的な手法については任意であり、適宜変更することができる。例えば特定のページ画像の背景領域Ｇｃに網掛けを施すようにしてもよい。また、例えば特定のページ画像の背景領域Ｇｃや、その周縁を囲む矩形の枠を表示させるようにしてもよい。本実施形態のように、特定のページ画像の背景領域Ｇｃの全域を、他の一般領域Ｇｂとは異なる表示形態とすれば、表示部２３における表示画面のサイズが小さい場合であっても高い識別性を確保することができる。
【００７２】
また、本実施形態では、ページ編集が行われたページ画像を、置き換えられたものと、挿入されたものとを区別することなく、同様の手法で識別可能とした。しかし、例えば編集モードにおいては、編集対象となっている一連のページ画像に対してページ画像の置き換えと挿入との双方を行う場合がある。
【００７３】
したがって、ページ画像の置き換えと挿入との双方の処理を行った後に表示するページ番号編集画面Ｇ１においては、置き換え後のページ画像と挿入後のページ画像とについて表示形態を変えて互いに識別可能とすれば、編集作業時の作業性をさらに向上させることができる。なお、画像編集モードにおいて画像編集画面Ｇ２を表示する際についても、置き換えられたページ画像と挿入されたページ画像とを互いに識別可能としてもよい。
【００７４】
但し、置き換えられたページ画像と挿入されたページ画像とを互いに識別可能とする場合には、以下が必要となる。すなわち一連のページ画像に関する編集情報（管理テーブル２６０に記述する管理情報）には、ページ番号等に加え、置き換えられたページ画像や挿入されたページ画像について、その処理内容（置き換え、又は挿入）を示す情報を含めることが必要となる。
【００７５】
また、本実施形態においてタブレット２に適用した場合について説明したが、これに限らず、一般的なパーソナルコンピュータ等の他の情報機器においても同様の処理を可能とするプログラムを供給することにより実現することができる。また、その供給方法は任意であり、例えばインターネット上のＷｅｂページからプログラムをパーソナルコンピュータ等に供給してもよい。
【００７６】
また、プログラムをインターネット上のサーバーに格納しておき、サーバーにおいて図３、及び図７に示した処理を実行させるようにしてもよい。その場合、ページ番号編集画面Ｇ１や画像編集画面Ｇ２の表示、及びそれらの画面に対するユーザーの操作を、サーバーと協働してパーソナルコンピュータ等において行うこととなる。但し、新たに生成する文書ファイル等の保存はサーバー、又はパーソナルコンピュータ等のいずれであっても構わない。
【００７７】
以上、本発明の好ましい実施形態及びその変形例について説明したが、本発明は、これらに限定されるものではなく、特許請求の範囲に記載された発明とその均等の範囲を含むものである。以下に、本出願の当初の特許請求の範囲に記載された発明を付記する。
［請求項１］
互いに前後関係を有する複数の撮影画像をその前後関係を維持して表示画面に表示する表示制御手段を備え、
前記表示制御手段は、前記複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する
ことを特徴とする表示制御装置。
［請求項２］
前記複数の撮影画像の各々は、連続するページが個別に撮影されたページ画像であることを特徴とする請求項１記載の表示制御装置。
［請求項３］
前記第２の撮影画像は、前記連続する複数回の撮影作業により取得された複数の撮影画像のいずれかと置き換えられたものであることを特徴とする請求項１又は２記載の表示制御装置。
［請求項４］
前記第２の撮影画像は、前記連続する複数回の撮影作業により取得された複数の撮影画像において欠落している撮影画像を補うものであることを特徴とする請求項１又は２記載の表示制御装置。
［請求項５］
前記表示制御手段は、前記表示画面における前記第２の撮影画像に対応する特定領域を他の領域とは異なる表示形態で表現することによって、前記第２の撮影画像を前記複数の第１の撮影画像と識別可能に表示することを特徴とする請求項１乃至４のいずれか１項に記載の表示制御装置。
［請求項６］
前記特定領域は、前記第２の撮影画像の背景領域であることを特徴とする請求項５記載の表示制御装置。
［請求項７］
前記表示制御手段は、前記特定領域を他の領域とは異なる色で表現することによって、前記第２の撮影画像を前記複数の第１の撮影画像と識別可能に表示することを特徴とする請求項５又は６記載の表示制御装置。
［請求項８］
互いに前後関係を有する複数の撮影画像をその前後関係を維持して表示画面に表示する方法であって、
前記複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する表示ステップを含むことを特徴とする表示制御方法。
［請求項９］
表示制御装置が有するコンピュータに、
互いに前後関係を有する複数の撮影画像をその前後関係を維持して表示画面に表示する手順、
前記複数の撮影画像に、連続する複数回の撮影作業により取得された複数の第１の撮影画像と、前記複数回の撮影作業とは異なる個別の撮影作業により取得された第２の撮影画像とが含まれる場合、前記表示画面に前記第２の撮影画像を前記複数の第１の撮影画像と識別可能に表示する手順、
を実行させるためのプログラム。
【符号の説明】
【００７８】
１    書画カメラシステム
２    タブレット
３    自動ページめくり装置
２１    撮像部
２２    操作部
２３    表示部
２５    制御部
２６    記憶部
Ｇ１    ページ番号編集画面
Ｇ２    画像編集画面
Ｇａ    機能表示領域
Ｇｂ    一般領域
Ｇｃ    背景領域
【図１】
2018024260.tif 000003
【図２】
2018024260.tif 000004
【図３】
2018024260.tif 000005
【図４】
2018024260.tif 000006
【図５】
2018024260.tif 000007
【図６】
2018024260.tif 000008
【図７】
2018024260.tif 000009
【図８】
2018024260.tif 000010